【手続補正書】
【提出日】平成25年7月25日(2013.7.25)
【手続補正１】
【補正対象書類名】特許請求の範囲
【補正対象項目名】全文
【補正方法】変更
【補正の内容】
【特許請求の範囲】
【請求項１】
空間を仕切る膜部材に開口部を形成すると共に、形成した開口部を前記膜部材に沿ってスライド移動させる膜部材における開口部移動構造であって、
前記開口部を移動させる領域に亘って前記膜部材に取り付けられた、相互に噛合可能な第１噛合レール部及び第２噛合レール部からなる噛合レール部材と、
開放側を対向配置させて前記噛合レール部材に間隔をおいて対となって取り付けられることにより、間隔部分で前記噛合レール部材を開放した状態として前記開口部を形成する第１噛合レール開閉治具及び第２噛合レール開閉治具と、
前記第１噛合レール開閉治具と前記第２噛合レール開閉治具との間隔部分に配置される、前記第１噛合レール部を前記開口部の内側からスライド可能にカバーする開口枠第１カバーレール部を備える第１枠部材、及び前記第２噛合レール部を前記開口部の内側からスライド可能にカバーする開口枠第２カバーレール部を備える第２枠部材からなる開口枠部材とによって構成され、
前記第１噛合レール開閉治具及び前記第２噛合レール開閉治具の前記噛合レール部材に沿ったスライド移動に伴って、前記第１噛合レール部や前記第２噛合レール部を前記開口部の内側からスライド可能にカバーする前記開口枠部材の前記第１枠部材や前記第２枠部材を、前記噛合レール部材に沿って移動させることにより、前記開口部及び前記開口枠部材を前記膜部材に沿ってスライド移動させるようになっており、
外側噛合レール部材が取り付けられた外側膜部材が、前記膜部材の外側に配置されることにより、前記噛合レール部材の外側に前記外側噛合レール部材が配設されており、
前記外側噛合レール部材には、開放側を対向配置させて間隔をおいて対となって取り付けられることにより、間隔部分で前記外側噛合レール部材を開放した状態として外側開口部を形成する外側第１噛合レール開閉治具及び外側第２噛合レール開閉治具と、前記外側第１噛合レール開閉治具と前記外側第２噛合レール開閉治具との間隔部分に配置される、前記外側噛合レール部材の外側第１噛合レール部を前記外側開口部の内側からスライド可能にカバーする外側開口枠第１カバーレール部を備える外側第１枠部材、及び前記外側噛合レール部材の外側第２噛合レール部を前記外側開口部の内側からスライド可能にカバーする外側開口枠第２カバーレール部を備える外側第２枠部材からなる外側開口枠部材とが、スライド移動可能に取り付けられている膜部材における開口部移動構造。
【請求項２】
前記第１噛合レール開閉治具及び前記第２噛合レール開閉治具と、前記開口枠部材の前記第１枠部材及び前記第２枠部材とが、一体として接合されている請求項１記載の膜部材における開口部移動構造。
【請求項３】
前記噛合レール部材は、空間を仕切る前記膜部材とは別部材の帯状膜部材に取り付けられており、前記膜部材に密着可能な密着接合手段を介して、前記帯状膜部材を前記膜部材の前記開口部を移動させる領域に亘って接合することにより、前記噛合レール部材が前記膜部材に取り付けられる請求項１又は２に記載の膜部材における開口部移動構造。
【請求項４】
前記外側膜部材が、前記膜部材又は前記帯状膜部材に密着可能な密着接合手段を介して接合されている外側帯状膜部材である請求項１〜３のいずれか１項に記載の膜部材における開口部移動構造。
【請求項５】
前記開口枠部材と、前記外側開口枠部材とが、連結膜部材を介して気密に連結されている請求項１〜４のいずれか１項に記載の膜部材における開口部移動構造。
【請求項６】
前記開口枠部材及び／又は前記外側開口枠部材に作業用袋状膜の基端開口が接続されていることにより、前記開口部及び／又は前記外側開口部を覆って前記作業用袋状膜が取り付けられている請求項１〜５のいずれか１項に記載の膜部材における開口部移動構造。
【手続補正２】
【補正対象書類名】明細書
【補正対象項目名】０００９
【補正方法】変更
【補正の内容】
【０００９】
本発明は、空間を仕切る膜部材（幕部材）に開口部を形成すると共に、形成した開口部を前記膜部材に沿ってスライド移動させる膜部材における開口部移動構造であって、前記開口部を移動させる領域に亘って前記膜部材に取り付けられた、相互に噛合可能な第１噛合レール部及び第２噛合レール部からなる噛合レール部材と、開放側を対向配置させて前記噛合レール部材に間隔をおいて対となって取り付けられることにより、間隔部分で前記噛合レール部材を開放した状態として前記開口部を形成する第１噛合レール開閉治具及び第２噛合レール開閉治具と、前記第１噛合レール開閉治具と前記第２噛合レール開閉治具との間隔部分に配置される、前記第１噛合レール部を前記開口部の内側からスライド可能にカバーする開口枠第１カバーレール部を備える第１枠部材、及び前記第２噛合レール部を前記開口部の内側からスライド可能にカバーする開口枠第２カバーレール部を備える第２枠部材からなる開口枠部材とによって構成され、前記第１噛合レール開閉治具及び前記第２噛合レール開閉治具の前記噛合レール部材に沿ったスライド移動に伴って、前記第１噛合レール部や前記第２噛合レール部を前記開口部の内側からスライド可能にカバーする前記開口枠部材の前記第１枠部材や前記第２枠部材を、前記噛合レール部材に沿って移動させることにより、前記開口部及び前記開口枠部材を前記膜部材に沿ってスライド移動させるようになっており、外側噛合レール部材が取り付けられた外側膜部材が、前記膜部材の外側に配置されることにより、前記噛合レール部材の外側に前記外側噛合レール部材が配設されており、前記外側噛合レール部材には、開放側を対向配置させて間隔をおいて対となって取り付けられることにより、間隔部分で前記外側噛合レール部材を開放した状態として外側開口部を形成する外側第１噛合レール開閉治具及び外側第２噛合レール開閉治具と、前記外側第１噛合レール開閉治具と前記外側第２噛合レール開閉治具との間隔部分に配置される、前記外側噛合レール部材の外側第１噛合レール部を前記外側開口部の内側からスライド可能にカバーする外側開口枠第１カバーレール部を備える外側第１枠部材、及び前記外側噛合レール部材の外側第２噛合レール部を前記外側開口部の内側からスライド可能にカバーする外側開口枠第２カバーレール部を備える外側第２枠部材からなる外側開口枠部材とが、スライド移動可能に取り付けられている膜部材における開口部移動構造を提供することにより、上記目的を達成したものである。
【手続補正３】
【補正対象書類名】明細書
【補正対象項目名】００１２
【補正方法】削除
【補正の内容】
【手続補正４】
【補正対象書類名】明細書
【補正対象項目名】００２２
【補正方法】変更
【補正の内容】
【００２２】
そして、本第１実施形態の膜部材における開口部移動構造１０は、空間を仕切る遮蔽膜１１に作業用開口１４を形成すると共に、形成した作業用開口１４を遮蔽膜１１に沿ってスライド移動させるための移動構造であって、図２〜図６に示すように、作業用開口１４を移動させる領域に亘って遮蔽膜１１に取り付けられた、相互に噛合可能な第１噛合レール部２８及び第２噛合レール部２９からなる噛合レール部材３０と、開放側を対向配置させて噛合レール部材３０に間隔をおいて対となって取り付けられることにより、間隔部分で噛合レール部材３０を開放した状態として作業用開口１４を形成する第１噛合レール開閉治具３３及び第２噛合レール開閉治具３４と、第１噛合レール開閉治具３３と第２噛合レール開閉治具３４との間隔部分に配置される、第１噛合レール部２８を作業用開口１４の内側からスライド可能にカバーする開口枠第１カバーレール部としての、第１噛合レール部２８と噛合可能な開口枠第１噛合レール部３１を備える第１枠部材１６ａ、及び第２噛合レール部２９を作業用開口１４の内側からスライド可能にカバーする開口枠第２カバーレール部としての、第２噛合レール部２９と噛合可能な開口枠第２噛合レール部３２を備える第２枠部材１６ｂからなる開口枠部材１６とによって構成され（図２、図３参照）、第１噛合レール開閉治具３３及び第２噛合レール開閉治具３４の噛合レール部材３０に沿ったスライド移動に伴って、第１噛合レール部２８や第２噛合レール部２９を作業用開口１４の内側からスライド可能にカバーする開口枠部材１６の第１枠部材１６ａや第２枠部材１６ｂを、噛合レール部材３０に沿って移動させることにより、作業用開口１４及び開口枠部材１６を遮蔽膜１１に沿ってスライド移動させるようになっている。
【手続補正５】
【補正対象書類名】明細書
【補正対象項目名】００３５
【補正方法】変更
【補正の内容】
【００３５】
また、本第１実施形態では、例えば噛合レール部材３０の第１噛合レール部２８や第２噛合レール部２９が務歯を有する「ファスナー」である場合には、図７（ａ）〜（ｃ）に示すように、開口枠部材１６の第１枠部材１６ａや第２枠部材１６ｂを、作業用開口１４の内側から、第１噛合レール部２８や第２噛合レール部２９の連設された務歯の長さ方向の全体を一体としてスライド可能にカバーする、断面略Ｃ字形状を備えると共に弧状に湾曲する側面形状を備えるカバー部材を用いて形成することができる（図７（ａ）では第１枠部材１６ａを省略して表示している。）。この場合には、第１枠部材１６ａや第２枠部材１６ｂは、それ自体が開口枠第１カバーレール部や開口枠第２カバーレール部を兼ねる部材となっている。
【手続補正６】
【補正対象書類名】明細書
【補正対象項目名】００５１
【補正方法】変更
【補正の内容】
【００５１】
ここで、外側噛合レール部材４０には、上述の噛合レール部材３０と同様に、開放側を対向配置させて間隔をおいて対となって取り付けられることにより、間隔部分で外側噛合レール部材４０を開放した状態として外側開口部４２を形成する、上述の噛合レール開閉治具３３，３４と同様の外側第１噛合レール開閉治具４３及び外側第２噛合レール開閉治具４４が取り付けられている。また、外側第１噛合レール開閉治具４３と外側第２噛合レール開閉治具４４との間隔部分に配置されて、上述の開口枠部材１６と同様の、外側噛合レール部材４０の外側第１噛合レール部４５を外側開口部４２の内側からスライド可能にカバーする外側開口枠第１カバーレール部としての、外側噛合レール部材４０の外側第１噛合レール部４５と噛合可能な外側開口枠第１噛合レール部４７を備える外側第１枠部材４９ａ、及び外側噛合レール部材４０の外側第２噛合レール部４６を外側開口部４２の内側からスライド可能にカバーする外側開口枠第１カバーレール部としての、外側噛合レール部材４０の外側第２噛合レール部４６と噛合可能な外側開口枠第２噛合レール部４８を備える外側第２枠部材４９ｂからなる外側開口枠部材４９が、スライド移動可能に取り付けられている。
【手続補正７】
【補正対象書類名】明細書
【補正対象項目名】００６５
【補正方法】変更
【補正の内容】
【００６５】
１０，１０’  膜部材における開口部移動構造
１１  遮蔽膜（膜部材）
１２  除去作業空間（作業空間）
１３  立入空間
１４  作業用開口（開口部）
１５  作業用袋状膜
１６  開口枠部材
１６ａ  開口枠部材の第１枠部材
１６ｂ  開口枠部材の第２枠部材
１９  作業用袋状膜の基端開口
２８  第１噛合レール部
２９  第２噛合レール部
３０  噛合レール部材
３０ａ  噛合レール部材の延設部分
３１  開口枠第１噛合レール部（開口枠第１カバーレール部）
３２  開口枠第２噛合レール部（開口枠第２カバーレール部）
３３  第１噛合レール開閉治具
３４  第２噛合レール開閉治具
３５  帯状膜
３６，５１  密着接着剤（密着接合手段）
３７  切込み
４０  外側噛合レール部材
４１  外側膜部材
４２  外側開口部
４３  外側第１噛合レール開閉治具
４４  外側第２噛合レール開閉治具
４５  外側第１噛合レール部
４６  外側第２噛合レール部
４７  外側開口枠第１噛合レール部（外側開口枠第１カバーレール部）
４８  外側開口枠第２噛合レール部（外側開口枠第２カバーレール部）
４９  外側開口枠部材
４９ａ  外側開口枠部材の外側第１枠部材
４９ｂ  外側開口枠部材の外側第２枠部材
５０  吹付けアスベスト（有害物質）
５２  外側帯状膜部材
５３  外側作業用袋状膜
５４，５５  連結膜部材
５６  外側遮蔽膜
Ｘ  スライド方向
【手続補正８】
【補正対象書類名】図面
【補正対象項目名】図１３
【補正方法】変更
【補正の内容】
【図１３】
2012082686.tif 000001
【手続補正９】
【補正対象書類名】図面
【補正対象項目名】図１４
【補正方法】変更
【補正の内容】
【図１４】
2012082686.tif 000002
【手続補正１０】
【補正対象書類名】図面
【補正対象項目名】図１５
【補正方法】変更
【補正の内容】
【図１５】
2012082686.tif 000003
【手続補正１１】
【補正対象書類名】図面
【補正対象項目名】図１６
【補正方法】変更
【補正の内容】
【図１６】
2012082686.tif 000004
【手続補正１２】
【補正対象書類名】図面
【補正対象項目名】図１７
【補正方法】変更
【補正の内容】
【図１７】
2012082686.tif 000005
【手続補正１３】
【補正対象書類名】図面
【補正対象項目名】図１８
【補正方法】変更
【補正の内容】
【図１８】
2012082686.tif 000006